(57)【要約】【課題】複雑な操作を必要とせずに、複数の表示装置を連ねて表示方向を正しくマルチ表示させること。【解決手段】第２の表示装置とともにマルチ表示を行う第１の表示装置であって、前記第１の表示装置の第１の表示面における位置の指定を検出する指示操作検出部と、検出に応じて、前記第１の表示面の第１の指示位置を取得する指示位置取得部と、を備え、前記第１の指示位置と、前記第２の表示装置の指示位置取得部が取得した第２の指示位置とに基づいて、前記第１の表示装置と前記第２の表示装置との表示の方向が同じになるようにする。【選択図】図４
2014041294.tif 000002
【特許請求の範囲】
【請求項１】
第２の表示装置とともにマルチ表示を行う第１の表示装置であって、
前記第１の表示装置の第１の表示面における位置の指定を検出する指示操作検出部と、
検出に応じて、前記第１の表示面の第１の指示位置を取得する指示位置取得部と、
前記第１の指示位置と、前記第２の表示装置の指示位置取得部が取得した第２の指示位置とに基づいて、前記第１の表示装置と前記第２の表示装置との表示の方向が同じになるように、前記第２の表示装置において表示すべき表示方向を指示する通信部と、
を有することを特徴とする第１の表示装置。
【請求項２】
第２の表示装置とともにマルチ表示を行う第１の表示装置であって、
前記第１の表示装置の第１の表示面における位置の指定を検出する指示操作検出部と、
検出に応じて、前記第１の表示面の第１の指示位置を取得する指示位置取得部と、
前記第１の指示位置と、前記第２の表示装置の指示位置取得部が取得した第２の指示位置とに基づいて、前記第１の表示装置と前記第２の表示装置との上下左右の位置関係を判定する位置関係判定部と、
前記位置関係判定部が判定した位置関係に基づいて、前記第１の表示装置と前記第２の表示装置との表示の方向が同じになるように、表示方向の同期を取るための通信を行う通信部と
を有することを特徴とする第１の表示装置。
【請求項３】
現在表示している表示方向の設定値を記憶する表示方向設定値記憶部を有し、
前記通信部は、
前記位置関係判定部が判定した位置関係に加えて、前記表示方向設定値記憶部に記憶されている前記第１の表示装置が現在表示している表示方向の設定値に基づいて、前記第１の表示装置と前記第２の表示装置との表示の方向が同じになるように、前記第２の表示装置において表示すべき表示方向を前記第２の表示装置に通知することを特徴とする請求項２に記載の第１の表示装置。
【請求項４】
前記位置関係判定部は、
さらに、前記第１及び第２の表示装置のそれぞれの表示属性に基づいて、それぞれが、同じ位置、又は、同じ倍率の少なくともいずれかになるように調整することを特徴とする請求項２又は３に記載の第１の表示装置。
【請求項５】
前記通信部は、
前記の第２の表示装置に対して、マルチ表示すべきデータと、表示させる位置データとを送ることを特徴とする請求項１から４までのいずれか１項に記載の第１の表示装置。
【請求項６】
前記通信部は、
前記第２の表示装置の表示属性を取得した第１の表示装置から、前記第２の表示装置にどのように表示させたらよいかを判断した結果として得られた調整した表示データを前記第２の表示装置に送ることを特徴とする請求項４又は５に記載の第１の表示装置。
【請求項７】
第１の表示装置と第２の表示装置とを用いてマルチ表示を行う表示方法であって、
前記第１の表示装置の第１の表示面の位置の指定を検出するステップと、
検出に応じて、前記第１の表示面で指定された第１の位置を取得するステップと、
前記第２の表示装置から前記第１の表示装置が、前記第２の表示装置の第２の表示面において検出された第２の位置を受け取るステップと、
前記第１の表示装置において、前記第１の位置と前記第２の位置とに基づいて、前記第１の表示装置と前記第２の表示装置との表示の方向が同じになるように、前記第２の表示装置に通知するステップと
を有することを特徴とする表示方法。
【請求項８】
コンピュータに、請求項７に記載の表示方法を実行させるためのプログラム。
【発明の詳細な説明】
【技術分野】
【０００１】
本発明は、表示装置に関し、特に、マルチ画面表示が可能な表示装置に関する。
【背景技術】
【０００２】
近年、小型の表示画面を有する携帯端末が急速に普及している。小型の表示装置は、パーソナルな使用には向いているが、大きな画面で見たい場合もある。このような場合には、複数の小型画面を並べて大きな表示領域を確保するマルチ表示モードに対応することが好ましい。例えば、コンピュータ上の画面作業スペースを拡大するなどの目的で、画像データを複数の画像表示装置を用いて表示するマルチ画面表示が用いられている。
【０００３】
マルチ表示モードに関する先行文献としては、以下のものがある。
特許文献１は、それぞれに対応するタッチパネルを備える複数の画面表示装置の画面に画面設定用のマーカを表示させ、前記タッチパネルの操作によるマーカの選択の態様に応じて前記画面表示装置の画面設定を変更するものである。
【０００４】
特許文献２は、マルチ画面表示に供する画像表示装置の数を把握し、この数に応じた表示モードを選択し、画像表示装置のひとつに表示モードに応じた入力順序を表示させ、その入力順序に従って、画像表示装置に入力操作し、画像表示装置と表示モードとを対応つけるものである。
【０００５】
特許文献３は、マルチディスプレイを構成する各表示装置が、個別に設定された識別番号を表示用デバイスに表示する。撮像装置が、各表示装置にそれぞれ識別番号が表示されたマルチディスプレイを撮像する。外部制御装置は、撮像装置によって撮像された画像情報に基づいて、各表示装置の配置を特定し、特定した位置情報を各表示装置に送信し、各表示装置は、各自の配置に基づいて、画像情報を表示するものである。
【先行技術文献】
【特許文献】
【０００６】
【特許文献１】特開２００４−７０６３５号公報
【特許文献２】特許第３６３８６１号公報
【特許文献３】特開２００９−１０９６７１号公報
【発明の概要】
【発明が解決しようとする課題】
【０００７】
特許文献１に記載の技術では、ディスプレイが複数ある時に、画面を３点タッチすることで、画面表示の切り替えを行うことができるが、あらかじめそれぞれのディスプレイがどのように配置されているかがわからないと正しく切り替えを行うことはできないという問題がある。
【０００８】
特許文献２に記載の技術では、各画像表示装置に供えられた入力手段に所定の順序で入力を行うことで画像表示装置とマルチ画面表示エリアの対応付けを行うが、タブレット端末のように、上下、左右を反転させて表示できる表示装置をテーブルなどの水平面上に置き、これらを連ねてマルチ画面表示環境を構築することを考えた場合には、あらかじめ上下左右の表示方向を合わせておかないと、正しく表示することができないという問題がある。
【０００９】
特許文献３に記載の技術では、外部にディスプレイに表示された識別番号を撮影するための撮像装置等が必要となるため、それぞれの装置が複雑になるという問題がある。
【００１０】
本発明は、複雑な操作を必要とせずに、複数の表示装置を連ねて表示方向を正しくマルチ表示させることを目的とする。
【課題を解決するための手段】
【００１１】
本発明の一観点によれば、第２の表示装置とともにマルチ表示を行う第１の表示装置であって、
前記第１の表示装置の第１の表示面における位置の指定を検出する指示操作検出部と、
検出に応じて、前記第１の表示面の第１の指示位置を取得する指示位置取得部と、
前記第１の指示位置と、前記第２の表示装置の指示位置取得部が取得した第２の指示位置とに基づいて、前記第１の表示装置と前記第２の表示装置との表示の方向が同じになるように、前記第２の表示装置において表示すべき表示方向を指示する通信部と、を有することを特徴とする第１の表示装置が提供される。
【００１２】
指示操作が検出され、第１及び第２の表示装置における指示位置が取得できると、第１の指示位置と第２の指示位置とが近接していると推定されることから、前記第１の表示装置と前記第２の表示装置との上下左右の位置関係がわかる。そこで、例えば、基準となる第１の表示装置の表示方向に基づいて、第２の表示装置の表示方向を第１の表示装置の表示方向と同じになるように指示する。
【００１３】
また、本発明によれば、第２の表示装置とともにマルチ表示を行う第１の表示装置であって、前記第１の表示装置の第１の表示面における位置の指定を検出する指示操作検出部と、検出に応じて、前記第１の表示面の第１の指示位置を取得する指示位置取得部と、前記第１の指示位置と、前記第２の表示装置の指示位置取得部が取得した第２の指示位置とに基づいて、前記第１の表示装置と前記第２の表示装置との上下左右の位置関係を判定する位置関係判定部と、前記位置関係判定部が判定した位置関係に基づいて、前記第１の表示装置と前記第２の表示装置との表示の方向が同じになるように、表示方向の同期を取るための通信を行う通信部と、を有することを特徴とする第１の表示装置が提供される。
【００１４】
第１の表示装置において、第２の表示装置から受け取ったタッチ位置又はタッチ座標と指示位置取得部が取得した入力座標とに基づいて、位置関係判定部が、第１の表示装置が、第２の表示装置との上下左右の位置関係を識別し、表示画面の表示方向を判定する。
【００１５】
前記位置関係判定部が判定した位置関係と前記第１の表示装置の現在の表示方向とに基づいて前記第１の表示装置と前記第２の表示装置との表示の方向が同じになるように、表示方向の同期を取るための通信を行う。
【００１６】
さらに、現在表示している表示方向の設定値を記憶する表示方向設定値記憶部を有し、前記通信部は、前記位置関係判定部が判定した位置関係に加えて、前記表示方向設定値記憶部に記憶されている前記第１の表示装置が現在表示している表示方向の設定値に基づいて、前記第１の表示装置と前記第２の表示装置との表示の方向が同じになるように、前記第２の表示装置において表示すべき表示方向を前記第２の表示装置に通知するようにしても良い。
【００１７】
前記位置関係判定部は、さらに、前記第１及び第２の表示装置のそれぞれの表示属性に基づいて、それぞれが、同じ位置、又は、同じ倍率の少なくともいずれかになるように調整することが好ましい。
【００１８】
前記通信部は、前記第２の表示装置に対して、マルチ表示すべきデータと、表示させる位置データとを送ることが好ましい。
【００１９】
前記通信部は、前記第２の表示装置の表示属性を取得した第１の表示装置から、前記第２の表示装置にどのように表示させたらよいかを判断した結果として得られた調整した表示データを前記第２の表示装置に送ることが好ましい。
【００２０】
本発明の他の観点によれば、第１の表示装置と第２の表示装置とを用いてマルチ表示を行う表示方法であって、前記第１の表示装置の第１の表示面の位置の指定を検出するステップと、検出に応じて、前記第１の表示面で指定された第１の位置を取得するステップと、前記第２の表示装置から前記第１の表示装置が、前記第２の表示装置の第２の表示面において検出された第２の位置を受け取るステップと、前記第１の表示装置において、前記第１の位置と前記第２の位置とに基づいて、前記第１の表示装置と前記第２の表示装置との表示の方向が同じになるように、前記第２の表示装置に通知するステップと、を有することを特徴とする表示方法が提供される。
【００２１】
本発明は、コンピュータに、上記に記載の表示方法を実行させるためのプログラムであっても良く、当該プログラムを記憶するコンテンツ読み取り可能な記録媒体であっても良い。
【発明の効果】
【００２２】
本発明によれば、複雑な操作を必要とせずに、複数の表示装置を連ねて表示方向を正しくマルチ表示させることが可能となる。
【図面の簡単な説明】
【００２３】
【図１】本発明の一実施の形態によるマルチ画像表示装置に用いられる表示装置であり、例として、スマートフォンを示している。
【図２】表示装置の一構成例を示す機能ブロック図である。
【図３】図３は、第１の表示装置と、その近くに配置される第２の表示装置とを示す図である。
【図４】第１の表示装置（基準となる表示装置）と、第２の表示装置（従属する表示装置）との、入力、表示に伴う処理の流れを示すフローチャート図である。
【図５】図４に示す処理、すなわち、２点同時指定による指定方法の例を示す原理図である。
【図６】本発明の第２の実施の形態によるマルチ表示技術の概要を示す概念図である。
【図７】第２の実施の形態の第２例によるマルチ表示技術の例を示す図である。
【図８Ａ】マルチ表示する２つの表示装置において、サイズが同一であり、それぞれの表示の解像度が異なる例を示す図である。
【図８Ｂ】図４に対応する処理の流れを示すフローチャート図である。
【図９】マルチ表示する２つの表示装置において、サイズが異なり、それぞれの表示の解像度も異なる例を示す図である。
【図１０】マルチ画面表示のその他の配置例を示す図である。
【図１１】認識エラーとするタッチパターンの例を示す図である。
【発明を実施するための形態】
【００２４】
以下に、本発明の実施の形態による表示装置について、図面を参照しながら詳細に説明する。但し、本発明の構成は以下に述べる実施形態にとどまるものではなく、発明の実施形態および実施例において述べた構成の各部をさまざまに組み合わせた形態をとることが可能であることはいうまでもない。
【００２５】
本実施の形態において、マルチ画像表示とは、例えば、複数の表示装置を２次元的に配置して画像データ等を全体として表示させる技術を指し、例えば、コンピュータ上の画面作業スペース拡大を目的としたＭｉｃｒｏｓｏｆｔ社のWindows（登録商標)においてサポートされているマルチモニタ機能が挙げられる。
【００２６】
図１は、本発明の一実施の形態によるマルチ画像表示装置に用いられる表示装置の外観図であり、例として、スマートフォンを示している。表示装置は、携帯電話機、スマートフォン、タブレット端末、パーソナルコンピュータなどの携帯端末など、表示装置を備えている機器を含む。
【００２７】
図１に示すように、本実施の形態による表示装置１は、例えば、薄い箱形の筐体３にＬＣＤなどの表示部（ディスプレイ）５を有し、例えば、指やペンなどの入力デバイス７により表示部５をタッチする。表示部５に設けられているタッチパッドは、操作面上におけるユーザの指の動きを検出することができる入力装置であり、例えば、カーソル移動のための入力装置としてノートパソコンやスマートフォンなどに採用されている。代表的なタッチパッドは、電極の静電容量の変化に基づいて、ユーザによる操作位置を検出する静電容量式のタッチパッドであり、静電パッドと呼ばれている。
【００２８】
タッチパッドは、接点開閉式のスイッチからなる操作キーに比べて、薄型化が容易であり、耐久性にも優れているため、携帯情報端末における入力装置として従来から用いられている。また、指を使って方向や距離を入力することができるため、カーソル移動、表示スクロール、画像回転、倍率変更などの表示制御を直感的かつ容易に行うことができるという利点がある。
【００２９】
尚、入力装置は、タッチパッドに限定されるものではないが、少なくとも、表示面内における指示領域を入力する指示領域入力部を備えている。指示領域入力部についてはタッチパッドの操作に基づく機能について後述するが、表示装置の表示面の配置（隣接する表示装置の表示面における表示方向（上下左右方向））を認識することができる機能を有しており、例えば、カメラなどにより実現することもできる。
【００３０】
図２は、表示装置１の一構成例を示す機能ブロック図である。図３は、第１の表示装置１と、その近くに配置される第２の表示装置１ａとを示す図である。
【００３１】
図２に示すように、表示装置１は、表示部５と、制御部（ＣＰＵ）１１と、通信部１７と、入力部２１と、指示位置判定部２３と、位置関係判定部２５と、記憶部２７と、を有している。制御部１１は、装置全体の制御を行う。表示部５は、画像データや文字データなどの表示を行うＬＣＤなどによるディスプレイである。通信部１７は、他の表示装置と通信を行うものであり、ＷｉＦｉなどの無線ＬＡＮ、赤外線、近距離通信などの無線通信などを用いることができる。入力部２１は、上記のタッチパッドなど、表示部５をタッチすることで、操作を行うことができるものである。タッチパッドにより、表示部５を基準とした入力指示を行った指示領域においてユーザの入力を受け付けることができる。この際、入力がなされた旨と、どの位置で入力されたかの情報を取得することができる。
【００３２】
指示位置判定部２３は、指示操作検出部２１−１による入力に基づいて、表示部５上のいずれの位置で入力（タッチ）されたかを判定する。例えば、表示画面の上辺、下辺、右辺、左辺のいずれがタッチされたかを判定する。指示位置判定部２３は、判定結果に基づいて指示位置を取得する指示位置取得部２３−１を有する。
【００３３】
位置関係判定部２５は、第１の表示装置が、他の第２の表示装置との上下左右の位置関係を識別し、表示画面の表示方向を判定する。
【００３４】
記憶部２７には、プログラムなどの他に、現在表示している表示方向の設定値を記憶する表示方向設定値記憶部２７ａと、表示装置の属性情報を記憶する表示属性情報記憶部２７ｃと、を有している。表示属性情報記憶部２７ｃは、表示装置のサイズ、解像度等を記憶する。第１の実施の形態では、第１及び第２の表示装置のそれぞれの表示属性情報記憶部２７ｃには、同じパネルサイズ、同じ解像度が設定されている。
尚、後述する表示装置に固有のＡ１等の辺の位置を記憶する辺位置記憶部２７ｂを設けても良い。
【００３５】
【表１】
2014041294.tif 000003
【００３６】
表１は、現在表示している表示方向の設定値を記憶する表示方向設定値記憶部２７ａの記憶値と、表示装置に固有のＡ１等の辺の位置を記憶する辺位置記憶部２７ｂとのデータ例を示す表である。
表示方向設定値は、第１の表示装置が０度、第２の表示装置が１８０度の例が示されている。
【００３７】
さらに、図３に示すように、第１の表示装置１と第２の表示装置１ａとは、互いの通信部１７・１７ａにより、指示位置や表示部の表示特性（解像度やサイズなど）等のデータをやり取りすることができる。
【００３８】
図４は、第１の表示装置（基準となる表示装置）１と、第２の表示装置（従属する表示装置）１ａとの、入力、表示に伴う処理の流れを示すフローチャート図である。図５は、図４に示す処理、すなわち、２点同時指定による指定方法の例を示す原理図である。
【００３９】
図４に示すように、ステップＳ１・Ｓ１ａにおいて、第１の表示装置１と第２の表示装置１ａとが近くに配置される（開始：  図５（ａ））。ここで、第１の表示装置１の表示面Ａには、左右上下の辺がＡ１からＡ４までで定義されているが、登録を行う前であるため、第１の表示装置１と第２の表示装置１ａとが、それぞれどの辺で接しているかは互いにわからない。但し、第２の表示装置１ａの表示面Ｂにおいても、左右上下の辺がＢ１からＢ４までで定義されている。要するに、表示装置は、表示方向にかかわらず、Ｘ１は左辺、Ｘ２は底辺、Ｘ３は右辺、Ｘ４は上辺として決められおり、すなわち、表示方向によらず、表示装置は上辺、底辺、左辺、右辺となるような方向が決まっている。ここで、Ｘ＝Ａ、Ｂ、…である。
【００４０】
タッチ位置としては、接している辺Ａ３、Ｂ１の中央付近であって、辺の付近の位置をタッチしても良いし、辺に沿って指を滑らせても良い。
【００４１】
次いで、指示位置判定部２３・２３ａが、タッチした位置、例えば、表示装置におけるどの辺（上下左右）であるかなどの指示位置を判断する。
【００４２】
例えば、図５（ｃ）に示す辺Ａ３とＢ１とがタッチされた辺であると判定される。この辺Ａ３とＢ１とが隣接する辺である。この際、それぞれの表示装置１・１ａにおいて、指示された位置座標１、２をそれぞれ取得する（ステップＳ３、Ｓ３ａ）。
【００４３】
辺を入力座標とする場合には、辺位置記憶部２７ｂの記憶値を参照して判断するようにしても良い。そして、辺位置記憶部２７ｂの記憶値から辺Ａ３、辺Ｂ１の位置それぞれ取得するようにしても良い。或いは、辺の代りに、表示画面の２次元平面上の位置（ｘ、ｙ）として入力座標を取得しても良い。
【００４４】
表示装置１ａへのタッチ位置（上辺、底辺、左辺、右辺のいずれがタッチされたかの辺）又はタッチ座標（タッチされた辺を判断するための座標）を、表示装置１に送る（Ｌ１）。表示装置１において、表示装置１ａから受け取ったタッチ位置又はタッチ座標とステップＳ４で取得した入力座標１とに基づいて、位置関係判定部２５が、第１の表示装置１が、第２の表示装置１ａとの上下左右の位置関係を識別し、表示画面の表示方向を判定する。
【００４５】
例えば、図５（ｃ）に示すように第１の表示装置１と第２の表示装置１ａとの、位置関係を、表示装置自体を基準にして判定することで、各表示装置で決まっている、基準となる表示方向からの回転角度、すなわち、２つの表示装置を同じ方向に表示させるためにはどれだけ表示を回転させて表示すれば良いかが、第１の表示装置１側、及び従属する第２の表示装置１ａ側が、現在どの方向で表示されているかの情報によらず、わかる。
例えば、表示装置１と１ａがあり、第１の表示装置１の右辺Ａ３と第２の表示装置１ａの左辺Ｂ１が同時にタッチされ近接する位置にあると判定されると、第２の表示装置１ａは第１の表示装置１に対して０度回転していることになり、すなわち第１の表示装置１と第２の表示装置１ａとが、同じ方向に向いていると判断される。また、第１の表示装置１の右辺と第２の表示装置１ａの右辺が同時にタッチされると、第２の表示装置１ａは第１の表示装置１に対して１８０度回転していることになる。
【００４６】
この判定をした後で、第１の表示装置１と第２の表示装置１ａの位置関係と、表示方向設定値記憶部２７ａの記憶されている、基準となる第１の表示装置１側の現在の表示方向に基づいて、第２の表示装置１ａに対して表示Ｂの表示方向を指示する。例えば、第２の表示装置１ａは第１の表示装置１に対して１８０度回転していて、さらに、第１の表示装置１の表示方向が第１の表示装置１の基準となる方向に対して９０度回転しているなら、２７０度(１８０度＋９０度)回転させて表示するよう第２の表示装置１ａに指示することで、第１の表示装置１と第２の表示装置１ａとの表示の方向が同じになるようにする。
【００４７】
図５（ｃ）では、第１の表示装置１と第２の表示装置１ａとが同じ方向に配置されているため、ステップＳ５において、第１の表示装置１から第２の表示装置１ａに対して、基準とする方向に対する回転角度か、それに類する情報を送信する（Ｌ２）。
【００４８】
この際、辺位置記憶値として、第１の表示装置がＡ１−Ａ２−Ａ３−Ａ４（半時計回り）、第２の表示装置がＢ１−Ｂ２−Ｂ３−Ｂ４（半時計回り）と記憶しておき、回転角度は、表示Ｂの反転、回転、又は維持などの指示であっても良い。或いは、第１の表示装置１で、表示Ａを回転させるようにしても良い。以上により、表示Ａと表示Ｂとが、同じ方向になる。
【００４９】
尚、ステップＳ５において、表示方向設定値記憶部２７ａの記憶値に基づかず、現在の表示装置の位置関係のみに基づいて表示装置の表示方向の変更または維持を指示するようにしても良い。この場合、まず第１の表示装置１の表示方向を任意の方向に変更し、次いで、第１の表示装置１の表示方向と同じになるように第２の表示装置１ａの表示方向を指示する。
【００５０】
すなわち、通信部１７により、第１の表示装置１と第２の表示装置１ａとの同期をとる。例えば、第１の表示装置１と第２の表示装置１ａとの位置関係が変化した場合には、同期処理により、常に同じ方向に表示するように制御しても良い。
【００５１】
この状態で、図５（ｄ）に示すように、例えば、通信部１７・１７ａにおいて、画像データのやり取りを行うことで、第１の表示装置１における表示Ａと第２の表示装置１ａにおける表示Ｂとを、同じ方向に回転又は維持させて、表示Ｔとして、両方の表示画面をマルチ表示エリア内で１つの画像データ等を表示させることができる。この処理を、ペアリング処理と称する。
或いは、図４の処理中において、ステップＳ５等で、表示するべきデータを送信するようにしても良い。
【００５２】
このようなペアリングを行った後における画像データの表示方法としては、第１の表示装置１から第２の表示装置１ａに対して、画像データと、どの位置に表示させるかのデータを通信部１７より送るか、或いは、第２の表示装置１ａの表示属性を取得した第１の表示装置１から、第２の表示装置にどのように表示させたらよいかを判断し、調整した画像データを第２の画像装置１ａに送って表示させても良い。
【００５３】
尚、上記の例では、指示位置判定部２３による入力されたタッチ位置に基づいて、例えばどの辺がタッチされたかを判定して、位置関係判定部２５が、第１の表示装置と第２の表示装置との位置関係を判定する例について説明したが、表示画面を撮影できるカメラでタッチ位置を判定したり、表示方向を判定したりすることもできる。要するに、タッチ操作に基づいて、第１の表示装置１と第２の表示装置１ａとのペアリングを行い、表示方向をペアリングされた両方の表示装置で合わせてから画像をマルチ画像表示させることで、複雑な操作を必要とせずに、２つの表示装置を連ねて表示方向を正しくマルチ表示させることが可能となる。
【００５４】
次に、本発明の第２の実施の形態によるマルチ表示技術について説明する。
図６は、本実施の形態によるマルチ表示の概要を示す概念図である。図６は、３台以上（４台）の表示装置１ａ・１ｂ・１ｃ・１ｄをマルチ表示する処理の例を示す図である。マルチ表示のためのペアリング処理は、第１の実施の形態と同様の方法で行うことができる。破線の下図は、位置関係認識結果を示す概念図である。１）初期配置では、第１から第４までの表示装置１ａから１ｄまでが２次元平面上に整列配置されているが、下図に示すように、位置関係はバラバラであるとしか認識されていない。
【００５５】
次いで、時刻ｔ１で第１の表示装置１ａと第２の表示装置１ｂとが第１の実施の形態と同様に同時にタッチにより指定されると、下図のように、第１の表示装置１ａと第２の表示装置１ｂとが、表示方向を合わせた状態でマルチ表示が可能になる。次いで、時刻ｔ２で第２の表示装置１ｂと第４の表示装置１ｄとが第１の実施の形態と同様に同時にタッチにより指定されると、下図のように、第１、第２、第４の表示装置が、表示方向を合わせた状態でマルチ表示が可能になる。
【００５６】
次いで、時刻ｔ３で、第３の表示装置１ｃと第４の表示装置１ｄとが第１の実施の形態と同様に同時にタッチにより指定されると、下図のように、第１から第４までの表示装置が、表示方向を合わせた状態でマルチ表示が可能になる。ここでは、第１と第２、第２と第４、第３と第４の接する辺でそれぞれの表示装置が表示方向を合わせてペアリングされ、４個の表示装置によりマルチ表示が可能になる。
【００５７】
ここでは、４の表示装置がペアリングされマルチ表示が可能となった例を示したが、２以上ｎ（ｎは正の整数）のペアリングに基づくマルチ表示が可能である。
【００５８】
図７は、第２の実施の形態の第２例によるマルチ表示技術の例を示す図である。図７に示す例は、Ａ−Ｂのペアリングの後で、Ｃ−Ｄのペアリングを行い、次いで、Ａ−Ｃのペアリングを行う例であるが、２つの表示装置によるペアリングＡ−Ｂ、Ｃ−Ｄを行った後に、ペアリングされたマルチ表示Ａ−Ｂとマルチ表示Ｃ−Ｄとを、マルチ表示Ａ−Ｂのいずれかとマルチ表示Ｃ−Ｄのいずれかをペアリングすることで、さらにペアリングする。ここでは、第１と第２、第３と第４、第１と第３の表示装置が各々接する辺でそれぞれペアリングされ、全ての表示装置の表示方向が揃い、４個の表示装置によりマルチ表示が可能になる。
【００５９】
以上のように、本実施の形態によれば、ペアリング処理を継続して行うことで、複数の表示装置において、簡単な操作によりマルチ表示させることができる。
【００６０】
次に、本発明の第３の実施の形態による、マルチ表示技術について説明を行う。図８Ａは、マルチ表示する２つの表示装置において、サイズが同一であり、それぞれの表示の解像度が異なる例を示す図である。図８Ｂは、図４に対応する処理の流れを示すフローチャート図である。第１及び第２の表示装置のそれぞれの表示属性情報記憶部２７ｃには、同じパネルサイズ、異なる解像度が設定されている。
【００６１】
図８Ａに示すように、第１の表示装置の表示部のサイズが１０インチであり、解像度が４００ｄｐｉであり、第２の表示装置の表示部のサイズが１０インチであり、解像度が２００ｄｐｉであるとする。すなわち、サイズは同じであるが、解像度が異なる場合の例を示す。ペアリングのためのタッチ操作を行うと、図４のステップＬ１に相当する処理であるＬ３において、第２の表示装置から第１の表示装置に対して、位置情報（指示された辺など）とともに、第２の表示装置の表示に関する属性情報（表示属性）として、画面の解像度と、サイズなどが送られる。このデータをもとに、ステップＳ４’において、位置関係の判定と表示属性の判定が行われる。位置関係の判定は、第１の実施の形態における位置関係の判定であり、表示方向を合わせるための判定である（維持、回転等）。さらに、表示属性の判定処理において、サイズが同じ解像度が１／２であれば、ピクセル数が同じ画像データは、以下の式により２倍になる。
縦（横）のピクセル数＝縦（横）の表示サイズ（インチ）×解像度（dpi）
【００６２】
従って、第２の表示装置１ａの表示Ｂに合わせるには、第１の表示装置１の表示Ａの表示サイズを２倍にするか、表示Ｂを１／２にする。これにより、マルチ表示Ｔ２を、表示サイズを調整して表示させることができる（ステップＳ５ａ’）。
【００６３】
以上に説明したように、本実施の形態では、表示装置のサイズや解像度を考慮して、マルチ表示を調整して正常に表示させることができる。位置（表示方向）の通知や指示の通信時に、表示属性も通信することで、追加の通信処理を行わずに、表示属性の相違の調整処理も行うことができる。
【００６４】
次に、本発明の第３の実施の形態の第１変形例による、マルチ表示技術について説明を行う。図９は、マルチ表示する２つの表示装置において、サイズが異なり、それぞれの表示の解像度も異なる例を示す図である。この場合においても、同様の方法でペアリングを行うが、上記Ｌ３において、第２の表示装置から第１の表示装置に対して、位置情報（指示された辺など）とともに、第２の表示装置の表示に関する属性情報（表示属性）として、画面の解像度と、サイズなどが送られる。第１及び第２の表示装置のそれぞれの表示属性情報記憶部２７ｃには、異なるパネルサイズ、異なる解像度が設定されている。
【００６５】
ここでは、第１の表示装置のサイズが１０ｉｎｃｈ、解像度が４００ｄｐｉ、第２の表示装置のサイズが７ｉｎｃｈ、解像度が２００ｄｐｉであるとする。第２の表示装置から第１の表示装置に対して、指示された辺、指示座標、解像度、サイズの情報が送られる。そして、（ｃ）において、指示された辺、指示座標、解像度、サイズの情報と、第１の表示装置で取得した指示位置情報とに基づいて、サイズと位置とを調整してマルチ表示することができる。ここで、サイズは、解像度に基づいて調整し、位置は、サイズの小さい方の辺Ｂ１に合わせて、例えば、図９（ｃ）のように、小さいサイズの第２の表示装置において画像データが表示できるように、第１の表示装置において表示する画像データを底辺Ａ２側にずらして表示させる。
【００６６】
以上に説明したように、本実施の形態の変形例では、表示装置のサイズを考慮して、マルチ表示を調整して正常に表示させることができる。位置（表示方向）の通知や指示の通信時に、表示属性も通信することで、追加の通信処理を行わずに、表示属性の相違の調整処理も行うことができる。
【００６７】
図１０は、マルチ画面表示のその他の配置例を示す図であり、このような様々な配置においても、同様に、１つずつのペアリング又は、ペアリングした表示装置同士のペアリングにより、任意の配置におけるペアリングを簡単に行うことができる。
【００６８】
尚、図１１は、認識エラーとするタッチパターンの例を示す図である。図１１（ａ）は、画面の角付近をタッチする例であり、このようなタッチ位置では、どの辺が指定されたか不明であり、ペアリングする辺がわからないため、エラー表示等により再度のタッチを促すようにしても良い。
【００６９】
また、図１１（ｂ）は、表示Ａ、表示Ｂをペアリングしたあとに、表示Ａとペアリングされているはずの表示Ｂの左辺に表示Ｃをペアリングしようとした例を示す図である。表示Ｂの左隣に表示Ａと表示Ｃとが存在することになってしまうので、エラー表示等により再度のタッチを促すようにしても良い。
【００７０】
また、図１１（ｃ）は、２つのペアーを同時にタッチした例を示す図であり、表示Ａと表示Ｂ、表示Ｂと表示Ｃとを同時にタッチすると、それぞれの位置関係を判定することができないため、エラー表示等により再度のタッチを促すようにしても良い。
【００７１】
尚、ペアリングを解除したい場合には、表示装置間の近接通信が途切れた場合にペアリングを解除するようにしても良く、或いは、所定のタッチ操作（例えば、図１のようなエラーになるようなタッチ操作等）を行うことでペアリングを解除するようにしても良い。
【００７２】
上記の実施の形態において、添付図面に図示されている構成等については、これらに限定されるものではなく、本発明の効果を発揮する範囲内で適宜変更することが可能である。その他、本発明の目的の範囲を逸脱しない限りにおいて適宜変更して実施することが可能である。
【００７３】
また、本発明の各構成要素は、任意に取捨選択することができ、取捨選択した構成を具備する発明も本発明に含まれるものである。
【００７４】
また、本実施の形態で説明した機能を実現するためのプログラムをコンピュータ読み取り可能な記録媒体に記録して、この記録媒体に記録されたプログラムをコンピュータシステムに読み込ませ、実行することにより各部の処理を行ってもよい。尚、ここでいう「コンピュータシステム」とは、ＯＳや周辺機器等のハードウェアを含むものとする。
【００７５】
また、「コンピュータシステム」は、ＷＷＷシステムを利用している場合であれば、ホームページ提供環境（あるいは表示環境）も含むものとする。
【００７６】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また前記プログラムは、前述した機能の一部を実現するためのものであっても良く、さらに前述した機能をコンピュータシステムにすでに記録されているプログラムとの組み合わせで実現できるものであっても良い。機能の少なくとも一部は、集積回路などのハードウェアで実現しても良い。
【産業上の利用可能性】
【００７７】
本発明は、表示装置に利用可能である。
【符号の説明】
【００７８】
１…表示装置、３…筐体、５…表示部、１１…制御部（ＣＰＵ）、１７…通信部、２１…入力部、２１−１…指示操作検出部、２３…指示位置判定部、２３−１…指示位置取得部、２５…位置関係判定部、２７…記憶部、２７ａ…表示方向設定値記憶部、２７ｂ…辺位置記憶部、２７ｃ…表示属性情報記憶部。
【図１】
2014041294.tif 000004
【図２】
2014041294.tif 000005
【図３】
2014041294.tif 000006
【図４】
2014041294.tif 000007
【図５】
2014041294.tif 000008
【図６】
2014041294.tif 000009
【図７】
2014041294.tif 000010
【図８Ａ】
2014041294.tif 000011
【図８Ｂ】
2014041294.tif 000012
【図９】
2014041294.tif 000013
【図１０】
2014041294.tif 000014
【図１１】
2014041294.tif 000015